【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
身体の特定部位の表面に接触するようにその周囲の方向または長さの方向に配列される電極群に含まれ、組間では、一方の電極から他方の電極までの距離を異にし、前記周囲の方向または長さの方向において入れ子となる複数組の一対の電流用電極と、
前記電極群に含まれ、前記複数組の一対の電流用電極のうちの最も内側に配置される一対の電流用電極の間の内側に配置される一対の測定用電極と、
前記複数組の一対の電流用電極の各々の一対の電流用電極の間に電流を発生する電流発生部と、
前記電流発生部から各々の一対の電流用電極の間に電流を発生した際に前記一対の測定用電極の間に生ずる各々の電圧を検出する電圧検出部と、
前記電圧検出部により検出した各々の電圧の全てに基づいて体組成に関する指標を推定する体組成推定手段と、
を備えることを特徴とする体組成計。
【請求項２】
前記体組成推定手段は、前記電流発生部から各々の一対の電流用電極の間に発生する電流及び前記電圧検出部により検出する各々の電圧に基づいて各々のインピーダンスを演算するインピーダンス演算部と、前記インピーダンス演算部により演算する各々のインピーダンスの全てに基づいて体組成に関する指標を演算するための体組成演算式を記憶する体組成演算式記憶部と、前記インピーダンス演算部で演算した各々のインピーダンスを前記体組成演算式記憶部に記憶している体組成演算式に代入することによって体組成に関する指標を演算する体組成演算部とを有することを特徴とする請求項１記載の体組成計。
【請求項３】
前記電流発生部は、発生する電流の周波数が、前記複数組の一対の電流用電極のうちの外側の一対の電流用電極から内側の一対の電流用電極にかけて段段に低くなるように電流を発生することを特徴とする請求項１又は２記載の体組成計。
【請求項４】
前記電流発生部は、前記複数組の一対の電流用電極のうちの最も外側の一対の電流用電極に１２８kHz以上５１２kHz以下の範囲にある特定周波数の電流を発生し、前記複数組の一対の電流用電極のうちの最も内側の一対の電流用電極に４kHz以上１２.５kHz以下の範囲にある特定周波数の電流を発生することを特徴とする請求項３記載の体組成計。
【請求項５】
前記１２８kHz以上５１２kHz以下の範囲にある特定周波数が２５６kHzの周波数であり、前記４kHz以上１２.５kHz以下の範囲にある特定周波数が５kHzの周波数であることを特徴とする請求項４記載の体組成計。
【請求項６】
身体の特定部位の幅を取得する部位幅取得部と、前記部位幅取得部により取得した身体の特定部位の幅を身体の特定部位の表示断面の外形の幅として表示し、このときの比率で、前記体組成推定手段により推定した体組成に関する指標を身体の特定部位の表示断面の内部の大きさとして表示する表示部とを更に備えることを特徴とする請求項１乃至５のうちのいずれか一項に記載の体組成計。
【請求項７】
前記複数組の一対の電流用電極と前記一対の測定用電極とを配設し、前記複数組の一対の電流用電極と前記一対の測定用電極とを身体の特定部位に接触させるために支持する支持体を更に備えることを特徴とする請求項１乃至５のうちのいずれか一項に記載の体組成計。
【請求項８】
前記支持体は、身体の特定部位の接触表面形状に沿った形状を成し、少なくとも一部に柔軟性部を有することを特徴とする請求項７記載の体組成計。
【請求項９】
前記支持体は、身体の特定部位の幅を測定する部位幅取得部であり、更に、前記部位幅取得部により測定した身体の特定部位の幅を身体の特定部位の表示断面の外形の幅として表示し、このときの比率で、前記体組成推定手段により推定した体組成に関する指標を身体の特定部位の表示断面の内部の大きさとして表示する表示部を備えることを特徴とする請求項７又は８記載の体組成計。
【請求項１０】
前記部位幅取得部は、身体の特定部位の幅方向に間隔が可変して身体の特定部位を挟み込む可変アームと、前記可変アームにより身体の特定部位を挟み込んだ際の間隔を検出するエンコーダーとを有することを特徴とする請求項９記載の体組成計。
【請求項１１】
前記部位幅取得部は、前記可変アームが身体の特定部位を挟み込んだことを検出する挟込検出センサーと、前記挟込検出センサーにより身体の特定部位を挟み込んだことを検出した際の停止位置及び停止位置より開いた位置に前記可変アームを可動する可動モーターとを更に備えることを特徴とする請求項１０記載の体組成計。
【請求項１２】
前記身体の特定部位が身体の腹部であり、前記体組成に関する指標が皮下脂肪厚、腹筋厚、皮下脂肪面積、内臓脂肪面積、腹部全脂肪面積、体幹部脂肪率及び全身脂肪率のうちの少なくとも一つであることを特徴とする請求項１乃至１１のうちのいずれか一項に記載の体組成計。
【請求項１３】
前記複数組の一対の電流用電極と前記一対の測定用電極との間隔が、４cm以上１０cm以下の範囲にある特定間隔であることを特徴とする請求項１２記載の体組成計。
【請求項１４】
前記複数組の一対の電流用電極のうちの最も外側の一対の電流用電極と前記一対の測定用電極との前記特定間隔が８cm、前記複数組の一対の電流用電極のうちの最も内側の一対の電流用電極と前記一対の測定用電極との前記特定間隔が４cm以上５cm以下であることを特徴とする請求項１３記載の体組成計。
【請求項１５】
前記一対の測定用電極の間隔が８cmであることを特徴とする請求項１３又は１４記載の体組成計。
【請求項１６】
前記支持体は、前記複数組の一対の電流用電極及び前記一対の測定用電極について、複数組の一方の電流用電極及び一方の測定用電極と複数組の他方の電流用電極及び他方の測定用電極とに分け、身体の特定部位の幅に応じてこれらの間隔を可変することを特徴とする請求項７記載の体組成計。
【請求項１７】
身体の特定部位の幅を取得する部位幅取得部を更に備え、前記体組成推定手段は、前記電流発生部から各々の一対の電流用電極の間に発生する電流及び前記電圧検出部により検出する各々の電圧に基づいて各々のインピーダンスを演算するインピーダンス演算部と、前記部位幅取得部により取得した身体の特定部位の幅と前記インピーダンス演算部により演算した各々のインピーダンスの全てとに基づいて体組成に関する指標を演算するための体組成演算式を記憶する体組成演算式記憶部と、前記インピーダンス演算部で演算した各々のインピーダンスを前記体組成演算式記憶部に記憶している体組成演算式に代入することによって体組成に関する指標を演算する体組成演算部とを有することを特徴とする請求項１記載の体組成計。
【請求項１８】
前記電流発生部は、発生する電流の周波数が、前記複数組の一対の電流用電極のうちの外側の一対の電流用電極から内側の一対の電流用電極にかけて段段に低くなるように電流を発生することを特徴とする請求項１７記載の体組成計。
【請求項１９】
前記電流発生部は、前記複数組の一対の電流用電極のうちの最も外側の一対の電流用電極に１２８kHz以上５１２kHz以下の範囲にある特定周波数の電流を発生し、前記複数組の一対の電流用電極のうちの最も内側の一対の電流用電極に４kHz以上１２.５kHz以下の範囲にある特定周波数の電流を発生することを特徴とする請求項１８記載の体組成計。
【請求項２０】
前記１２８kHz以上５１２kHz以下の範囲にある特定周波数が２５６kHzの周波数であり、前記４kHz以上１２.５kHz以下の範囲にある特定周波数が５kHzの周波数であることを特徴とする請求項１９記載の体組成計。
【手続補正２】
【補正対象書類名】明細書
【補正対象項目名】０００８
【補正方法】変更
【補正の内容】
【０００８】
本発明の体組成計は、身体の特定部位の表面に接触するようにその周囲の方向または長さの方向に配列される電極群に含まれ、組間では、一方の電極から他方の電極までの距離を異にし、前記周囲の方向または長さの方向において入れ子となる複数組の一対の電流用電極と、前記複数組の一対の電流用電極のうちの最も内側に配置される一対の電流用電極の間の内側に配置される一対の測定用電極と、前記複数組の一対の電流用電極の各々の一対の電流用電極の間に電流を発生する電流発生部と、前記電流発生部から各々の一対の電流用電極の間に電流を発生した際に前記一対の測定用電極の間に生ずる各々の電圧を検出する電圧検出部と、前記電圧検出部により検出した各々の電圧の全てに基づいて体組成に関する指標を推定する体組成推定手段と、を備えることを特徴とする。
【手続補正３】
【補正対象書類名】明細書
【補正対象項目名】０００９
【補正方法】変更
【補正の内容】
【０００９】
また、前記体組成推定手段は、前記電流発生部から各々の一対の電流用電極の間に発生する電流及び前記電圧検出部により検出する各々の電圧に基づいて各々のインピーダンスを演算するインピーダンス演算部と、前記インピーダンス演算部により演算する各々のインピーダンスの全てに基づいて体組成に関する指標を演算するための体組成演算式を記憶する体組成演算式記憶部と、前記インピーダンス演算部で演算した各々のインピーダンスを前記体組成演算式記憶部に記憶している体組成演算式に代入することによって体組成に関する指標を演算する体組成演算部とを有することを特徴とする。
【手続補正４】
【補正対象書類名】明細書
【補正対象項目名】００１４
【補正方法】変更
【補正の内容】
【００１４】
また、前記部位幅取得部は、身体の特定部位の幅方向に間隔が可変して身体の特定部位を挟み込む可変アームと、前記可変アームにより身体の特定部位を挟み込んだ際の間隔を検出するエンコーダーとを有することを特徴とする。
【手続補正５】
【補正対象書類名】明細書
【補正対象項目名】００１５
【補正方法】変更
【補正の内容】
【００１５】
また、前記部位幅取得部は、前記可変アームが身体の特定部位を挟み込んだことを検出する挟込検出センサーと、前記挟込検出センサーにより身体の特定部位を挟み込んだことを検出した際の停止位置及び停止位置より開いた位置に前記可変アームを可動する可動モーターとを更に備えることを特徴とする。
【手続補正６】
【補正対象書類名】明細書
【補正対象項目名】００２１
【補正方法】変更
【補正の内容】
【００２１】
また、身体の特定部位の幅を取得する部位幅取得部を更に備え、前記体組成推定手段は、前記電流発生部から各々の一対の電流用電極の間に発生する電流及び前記電圧検出部により検出する各々の電圧に基づいて各々のインピーダンスを演算するインピーダンス演算部と、前記部位幅取得部により取得した身体の特定部位の幅と前記インピーダンス演算部により演算した各々のインピーダンスの全てとに基づいて体組成に関する指標を演算するための体組成演算式を記憶する体組成演算式記憶部と、前記インピーダンス演算部で演算した各々のインピーダンスを前記体組成演算式記憶部に記憶している体組成演算式に代入することによって体組成に関する指標を演算する体組成演算部とを有することを特徴とする。
【手続補正７】
【補正対象書類名】明細書
【補正対象項目名】００２２
【補正方法】変更
【補正の内容】
【００２２】
また、前記電流発生部は、発生する電流の周波数が、前記複数組の一対の電流用電極のうちの外側の一対の電流用電極から内側の一対の電流用電極にかけて段段に低くなるように電流を発生することを特徴とする。
【手続補正８】
【補正対象書類名】明細書
【補正対象項目名】００２５
【補正方法】変更
【補正の内容】
【００２５】
本発明の体組成計は、身体の特定部位の表面に接触するようにその周囲の方向または長さの方向に配列される電極群に含まれ、組間では、一方の電極から他方の電極までの距離を異にし、前記周囲の方向または長さの方向において入れ子となる複数組の一対の電流用電極と、前記電極群に含まれ、前記複数組の一対の電流用電極のうちの最も内側に配置される一対の電流用電極の間の内側に配置される一対の測定用電極とを備え、電流発生部において各々の一対の電流用電極の間に電流を発生し、電圧検出部においてその際の一対の測定用電極の間に生ずる各々の電圧を検出し、体組成推定手段においてこれらの検出した各々の電圧の全てに基づいて体組成に関する指標を推定することから、利用者にとって身体の特定部位に電極を配置させる程度の手間さで、電極を配置する身体の特定部位の表面から比較的浅い層、比較的深い層および両層の中間層の全ての層への電流依存の程度を考慮した高精度な体組成に関する指標を求めることができる。
【手続補正９】
【補正対象書類名】明細書
【補正対象項目名】００３２
【補正方法】変更
【補正の内容】
【００３２】
また、部位幅取得部では、可動モーターが可変アームの伸縮の可動を自動的に行うとともに、挟込検出センサーにより身体の特定部位を挟み込んだことを検出した停止位置で停止することから、より簡便に部位幅を取得することができる。
【手続補正１０】
【補正対象書類名】明細書
【補正対象項目名】００３９
【補正方法】変更
【補正の内容】
【００３９】
また、電流発生部では、発生する電流の周波数が、複数組の一対の電流用電極のうちの外側の一対の電流用電極から内側の一対の電流用電極にかけて段段に低くなるように電流を発生することから、電圧検出部において身体の特定部位の組織の分布に対応して各々の電圧を検出することができ、推定精度を高めることができる。
【手続補正１１】
【補正対象書類名】明細書
【補正対象項目名】００４６
【補正方法】変更
【補正の内容】
【００４６】
そして、インピーダンスは、周知の如く、Ｚ＝ρＬ／Ｓ（Ｚ：インピーダンス、ρ：電気抵抗率、Ｌ：長さ、Ｓ：断面積）で表されるため、腹部１００の前後の厚さａＷと電極の長さｃとで囲まれる断面Ａの面積をＳに、一対の測定用電極１０２ａ、１０２ｂの間の長さｂＷをＬに、一対の電流用電極１０１ａ、１０１ｂの間に発生する電流Ｉと一対の測定用電極１０２ａ、１０２ｂの間の生じる電圧Ｖに基づいたインピーダンスＶ／ＩをＺに代入して一定範囲の身体の腹部１００についての電気抵抗率ρを求めることができる。すなわち、身体の特定部位のインピーダンスを測定すれば、身体の特定部位における電気の通り易さを反映する体組成に関する指標を測定したこととなる。
【手続補正１２】
【補正対象書類名】明細書
【補正対象項目名】００４９
【補正方法】変更
【補正の内容】
【００４９】
例えば、一対の電流用電極の間の距離が短い配置の場合、距離が長い配置の場合と比較して身体の特定部位の表面から比較的浅い層の電流密度が高くなる。また、身体の特定部位の表面から比較的浅い層の多くは皮下脂肪に占められ、比較的深い層の多くは内臓脂肪に占められる。このため、測定に基づくインピーダンスは、体組成に関する指標として皮下脂肪面積を推定するときには相関が比較的高くなり、また、体組成に関する指標として内臓脂肪面積を推定するときには相関が比較的低くなる。このように、体組成に関する指標として何を推定するかによって特にインピーダンスの測定精度の劣ることが顕著となる。
【手続補正１３】
【補正対象書類名】明細書
【補正対象項目名】００５３
【補正方法】変更
【補正の内容】
【００５３】
詳述すると、初めに述べたように構成した本発明の体組成計によると、複数組の一対の電流用電極を身体の特定部位に間隔を異にして内側に順次配置し、電流発生部において各々の一対の電流用電極の間に電流を発生することから、内側に配置する一対の電流用電極（一対の電流用電極の間隔が短い）において身体の特定部位の表面から比較的浅い層に、外側に配置する一対の電流用電極（一対の電流用電極の間隔が長い）において身体の特定部位の表面から比較的深い層に、内側と外側との間に配置する一対の電流用電極（一対の電流用電極の間隔が中間）において身体の特定部位の表面から両層の中間層に依存するように電流が流れる。そして、電圧検出部において電流発生部で各々の一対の電流用電極の間に電流を発生した際に一対の測定用電極の間に生ずる各々の電圧を検出し、体組成推定手段において検出した各々の電圧の全てに基づいて体組成に関する指標を推定することから、身体の特定部位の表面から比較的浅い層、比較的深い層および中間層の全ての層への電流依存の程度を考慮した体組成に関する指標が推定できる。また、特に、電流発生部において外側の一対の電流用電極から内側の一対の電流用電極にかけて、周波数が段段に低くなるように電流を発生することから、身体の特定部位の組織の分布に対応して各々の電圧を検出でき、推定精度をより高めることができる。
【手続補正１４】
【補正対象書類名】明細書
【補正対象項目名】００６０
【補正方法】変更
【補正の内容】
【００６０】
第１電流用電極２ａ、２ｂは、一方の半Ｕ型アーム８ａの内側と他方の半Ｕ型アーム８ｂの内側とのそれぞれに備え、身体の腹部３０に通電するためのものである。第２電流用電極３ａ、３ｂは、一方の半Ｕ型アーム８ａの内側と他方の半Ｕ型アーム８ｂの内側とのそれぞれに、かつ第１電流用電極２ａ、２ｂの間の内側に備え、身体の腹部３０に通電するためのものである。測定用電極４ａ、４ｂは、一方の半Ｕ型アーム８ａの内側と他方の半Ｕ型アーム８ｂの内側とのそれぞれに、かつ第２電流用電極３ａ、３ｂの間の内側に備え、身体の腹部３０に通電することにより生じた電圧を検出する。なお、電極群は、一方の半Ｕ型アーム８ａと他方の半Ｕ型アーム８ｂとを最も縮めた状態とした際に、測定用電極４ａ、４ｂの間隔が８cm、第２電流用電極３ａ、３ｂの間隔が１６cm以上２０cm以下（好ましくは、１６cm以上１８cm以下）、第１電流用電極２ａ、２ｂの間隔が２４cm以上２８cm以下（好ましくは、２４cm）となり、かつ中心線Ｏから対称となるように一列に配設する。換言すると、中心線Ｏから対称に、測定用電極４ａ、４ｂと第２電流用電極３ａ、３ｂとの間隔が、４cm以上６cm以下（好ましくは、４cm以上５cm以下）、測定用電極と第１電流用電極２ａ、２ｂとの間隔が、８cm以上１０cm以下（好ましくは、８cm）に配設する。なお、ここでの間隔とは、一方の電極の端から他方の電極の端まで間の距離を示している。